(57)【要約】【課題】子供と育児者とが共に過ごしている状況についての、他の育児者の理解をより一層深めることを支援する。【解決手段】情報処理方法では、プロセッサを用いて、収音装置による収音により得られる音情報を取得し、音情報が示す音に含まれる、子供の音声および大人の音声を識別し、識別された子供の音声に基づいて、子供の状態を判定し、識別された大人の音声に基づいて、大人の状態を判定し、判定された子供の状態、および、判定された大人の状態と、大人の状態についての通知の宛先とに応じて通知を生成し（ステップＳ１６及びＳ２５）、生成された通知を宛先へ送信する（ステップＳ１７）。【選択図】図６
2019009666.tif 000002
【特許請求の範囲】
【請求項１】
プロセッサを用いて、
収音装置による収音により得られる音情報を取得し、
前記音情報が示す音に含まれる、子供の音声および大人の音声を識別し、
識別された前記子供の音声に基づいて、前記子供の状態を判定し、
識別された前記大人の音声に基づいて、前記大人の状態を判定し、
判定された前記子供の状態、および、判定された前記大人の状態と、前記大人の状態についての通知の宛先とに応じて、前記通知を生成し、
生成された前記通知を前記宛先へ送信する、
情報処理方法。
【請求項２】
前記通知を生成することは、前記宛先に応じて異なる表現又は内容を有する前記通知を生成することを含む
請求項１に記載の情報処理方法。
【請求項３】
前記通知を生成することは、前記宛先に応じて表現又は内容が異なる図柄又は文章であって前記大人の状態を示す図柄又は文章を含む前記通知を生成することを含む
請求項２に記載の情報処理方法。
【請求項４】
前記通知を生成することは、生成される前記通知が前記大人の状態を示す図柄又は文章を含むか含まないかが、前記宛先に応じて異なる、前記通知を生成することを含む
請求項２又は３に記載の情報処理方法。
【請求項５】
前記図柄又は前記文章の表現又は内容は、前記宛先の属性に応じて異なる
請求項３に記載の情報処理方法。
【請求項６】
前記通知を生成することは、判定された前記子供の状態、および、判定された前記大人の状態の少なくとも一方に応じて指標を算出し、算出した前記指標が閾値より高い場合にのみ、前記通知を生成することを含む
請求項１〜５のいずれか１項に記載の情報処理方法。
【請求項７】
前記通知を生成することは、判定された前記子供の状態、および、判定された前記大人の状態の少なくとも一方に応じて指標を算出し、算出した前記指標が大きいほど、より大きな図柄を含む前記通知を生成することを含む
請求項１〜６のいずれか１項に記載の情報処理方法。
【請求項８】
前記通知を生成することは、
前記大人の状態を示す情報を入力装置を介して受け付け、
受け付けた前記情報を、前記子供が発した形式の情報又は前記子供の状態を示す情報に変換することで、前記通知を生成することを含む
請求項１〜７のいずれか１項に記載の情報処理方法。
【請求項９】
前記宛先は、判定された前記子供の状態、および、判定された前記大人の状態に応じて定められる
請求項１〜７のいずれか１項に記載の情報処理方法。
【請求項１０】
さらに、前記音情報が示す音に含まれる環境音を識別し、
前記大人の状態を判定することは、
識別された前記大人の音声、および、前記環境音に基づいて、前記大人の状態を判定することを含む
請求項１〜９のいずれか１項に記載の情報処理方法。
【請求項１１】
前記情報処理方法では、さらに、人を検知するセンサによる検知結果を取得し、
前記大人の状態を判定することは、
識別された前記大人の音声、および、前記検知結果に基づいて、前記大人の状態を判定することを含む
請求項１〜１０のいずれか１項に記載の情報処理方法。
【請求項１２】
前記情報処理方法では、さらに、前記宛先の位置を示す位置情報を取得し、
前記通知を前記宛先へ送信することは、
前記位置情報を参照して、前記宛先が所定の位置にいることに応じて前記通知を前記宛先へ送信することを含む
請求項１〜１１のいずれか１項に記載の情報処理方法。
【請求項１３】
前記所定の位置は、乗り物に係る乗降記録機が設置されている位置であり、
前記宛先に係る人が携帯する端末による近接無線通信を用いて前記乗降記録機と通信したことに応じて、前記通知を前記宛先へ送信することを含む
請求項１２に記載の情報処理方法。
【請求項１４】
収音装置による収音により得られる音情報が示す音に含まれる、子供の音声および大人の音声を識別する識別部と、
識別された前記子供の音声に基づいて、前記子供の状態を判定する子供状態判定部と、
識別された前記大人の音声に基づいて、前記大人の状態を判定する大人状態判定部と、
判定された前記子供の状態、および、判定された前記大人の状態と、前記大人の状態についての通知の宛先とに応じて、前記通知を生成する生成部と、
生成された前記通知を前記宛先へ送信する送信部とを備える
情報処理装置。
【発明の詳細な説明】
【技術分野】
【０００１】
本開示は、情報処理方法、及び、情報処理装置に関する。
【背景技術】
【０００２】
子育てに関する情報共有を行うシステムにおいて、従来は子供の音声から子供の状態を診断し、子供から離れた場所にいる保護者（育児者、例えば、子供の母親）に子供の状態を通知する方法が提案されている。
【０００３】
例えば、特許文献１では、子供の泣き声を検知し、子供の泣き声が所定の時間以上継続して発せられたことを条件として保護者の端末に状況を通知する技術が開示されている。
【先行技術文献】
【特許文献】
【０００４】
【特許文献１】特許第４８０５４９６号公報
【発明の概要】
【発明が解決しようとする課題】
【０００５】
しかし、特許文献１が開示する技術では、子供の状況のみを診断し、その診断結果を離れた場所にいる育児者に通知する。この技術では、子供と育児者とが共に過ごしている状況に関する情報を、他の育児者（例えば子供の父親）と共有することができない。
【０００６】
そこで、本発明は、子供と育児者とが共に過ごしている状況についての、他の育児者の理解をより一層深めることを支援する情報処理方法を提供する。
【課題を解決するための手段】
【０００７】
本発明の一態様に係る情報処理方法は、プロセッサを用いて、収音装置による収音により得られる音情報を取得し、前記音情報が示す音に含まれる、子供の音声および大人の音声を識別し、識別された前記子供の音声に基づいて、前記子供の状態を判定し、識別された前記大人の音声に基づいて、前記大人の状態を判定し、判定された前記子供の状態、および、判定された前記大人の状態と、前記大人の状態についての通知の宛先とに応じて、前記通知を生成し、生成された前記通知を前記宛先へ送信する。
【０００８】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００９】
本発明の情報処理方法は、子供と育児者とが共に過ごしている状況についての、他の育児者の理解をより一層深めることを支援できる。
【図面の簡単な説明】
【００１０】
【図１】図１は、実施の形態１における情報処理システムが提供するサービスの概要を示す説明図である。
【図２】図２は、実施の形態１における情報処理システムの機能を示すブロック図である。
【図３】図３は、実施の形態１における共有判定部が判定に用いる条件を示すテーブルの説明図である。
【図４】図４は、実施の形態１における通知の宛先と、通知の内容を示すテーブルの説明図である。
【図５】図５は、実施の形態１における識別部、子供状態判定部及び母親状態判定部が実行する処理の流れを示すフロー図である。
【図６】図６は、実施の形態１における共有判定部が実行する処理の流れを示すフロー図である。
【図７】図７は、実施の形態１における情報処理システムが提示する画像の第一例を示す説明図である。
【図８】図８は、実施の形態１における情報処理システムが提示する画像の第二例を示す説明図である。
【図９】図９は、実施の形態２における情報処理システムの機能を示すブロック図である。
【図１０】図１０は、実施の形態２における共有判定部が判定に用いる条件を示すテーブルの説明図である。
【図１１】図１１は、実施の形態２における識別部、子供状態判定部、母親状態判定部及び環境音判定部が実行する処理の流れを示すフロー図である。
【図１２】図１２は、実施の形態２における共有判定部が判定に用いる別の条件を示すテーブルの説明図である。
【図１３】図１３は、実施の形態３における情報処理システムの機能を示すブロック図である。
【図１４】図１４は、実施の形態３における送信部による情報の送信タイミング、及び、情報の通知の態様を示す送信タイミングを示すテーブルの説明図である。
【発明を実施するための形態】
【００１１】
（本発明の基礎となった知見）
特許文献１が開示する技術では、子供の状況のみを診断し、その診断結果を離れた場所にいる育児者（例えば子供の母親）に通知する。この技術は、子供と共に過ごしている育児者に関する情報を、他の育児者（例えば子供の父親）又は関係者（例えば子供の祖父母）に通知するものではない。よって、これだけでは、育児者に関する情報についての他の育児者などの理解が得られない。そのため、他の育児者又は関係者に育児の状況を把握させようとする際には、育児者自らが通知を行うことを要する。育児者自らが独自に、他の育児者又は関係者に通知を行うと、他の育児者又は関係者に、意図と異なる不適切な印象を与えてしまうという問題を生じ得る。不適切な印象を与えてしまった場合には、再度の通知を行う必要が生じ、その通知のための時間又は電力などを余計に消費するという問題も生じ得る。
【００１２】
そこで、本発明は、子供と育児者とが共に過ごしている状況についての、他の育児者の理解をより一層深めることを支援する情報処理方法を提供する。
【００１３】
このような問題を解決するために、本発明の一態様に係る情報処理方法は、プロセッサを用いて、収音装置による収音により得られる音情報を取得し、前記音情報が示す音に含まれる、子供の音声および大人の音声を識別し、識別された前記子供の音声に基づいて、前記子供の状態を判定し、識別された前記大人の音声に基づいて、前記大人の状態を判定し、判定された前記子供の状態、および、判定された前記大人の状態と、前記大人の状態についての通知の宛先とに応じて、前記通知を生成し、生成された前記通知を前記宛先へ送信する。
【００１４】
上記態様によれば、子供と大人の状態とに応じて生成される通知を宛先に送信する。また、通知は、通知の宛先に応じて生成される。大人がその子供の育児者（例えば母親）であり、通知の宛先が、その子供の他の育児者（例えば父親又は祖父母）である場合、子供と母親の状態を示す通知が、その宛先（つまり父親であるのか、又は、祖父母であるのか等）に応じて生成され送信される。宛先に応じて生成された情報が通知されるので、宛先である他の育児者の理解が得られやすい。よって、子供と育児者とが共に過ごしている状況についての、他の育児者の理解をより一層深めることを支援することができる。
【００１５】
例えば、前記通知を生成することは、前記宛先に応じて異なる表現又は内容を有する前記通知を生成することを含んでもよい。
【００１６】
上記態様によれば、通知の宛先である他の育児者、例えば、父親又は祖父母に応じて異なる表現又は内容によって、その宛先に通知がなされる。通知がその宛先に応じて適切な表現又は内容を有していることで、通知の宛先である他の育児者の理解をより一層深めることを支援することができる。
【００１７】
例えば、前記通知を生成することは、前記宛先に応じて表現又は内容が異なる図柄又は文章であって前記大人の状態を示す図柄又は文章を含む前記通知を生成することを含んでもよい。
【００１８】
上記態様によれば、図柄又は文章を含む通知が送信される。通知に含まれる図柄又は文章によって、通知の宛先である他の育児者は、文字情報の場合より、より直観的に通知の内容を把握できる。
【００１９】
例えば、前記通知を生成することは、生成される前記通知が前記大人の状態を示す図柄又は文章を含むか含まないかが、前記宛先に応じて異なる、前記通知を生成することを含んでもよい。
【００２０】
上記態様によれば、通知に図柄又は文章を含むか否かを、宛先に応じて異ならせることができる。通知の宛先によっては、通知に図柄又は文章を含むことが適切でないこともあり得るので、このような場合に図柄又は文章を含まない通知を送信するのが適切である。この態様によれば、図柄又は文章を含む通知が適切である宛先には図柄を含む通知を送信し、図柄又は文章を含まない通知が適切である宛先には図柄又は文章を含まない通知を送信し得る。
【００２１】
例えば、前記図柄又は前記文章の表現又は内容は、前記宛先の属性に応じて異なってもよい。
【００２２】
上記態様によれば、通知に含まれる図柄又は文章の表現又は内容を、宛先の属性に応じて異ならせることができる。ここで宛先の属性とは、男性、女性、母方又は父方などを意味する。そして、宛先の属性に応じて適切な表現の文章を含む通知を送信し得る。
【００２３】
例えば、前記通知を生成することは、判定された前記子供の状態、および、判定された前記大人の状態の少なくとも一方に応じて指標を算出し、算出した前記指標が閾値より高い場合にのみ、前記通知を生成することを含んでもよい。
【００２４】
上記態様によれば、子供の状態、又は、大人の状態から算出される指標に基づいて、通知を生成するか否かを制御できる。これにより、具体的かつ定量的に、通知を生成するか否かを制御することができる。
【００２５】
例えば、前記通知を生成することは、判定された前記子供の状態、および、判定された前記大人の状態の少なくとも一方に応じて指標を算出し、算出した前記指標が大きいほど、より大きな図柄を含む前記通知を生成することを含んでもよい。
【００２６】
上記態様によれば、子供の状態、又は、大人の状態から算出される指標に基づいて、通知に含まれる図柄の大きさを制御できる。これにより、具体的かつ定量的に、通知に含まれる図柄の大きさを制御し、通知の宛先である他の育児者の理解をより一層深めることに貢献し得る。
【００２７】
例えば、前記通知を生成することは、前記大人の状態を示す情報を入力装置を介して受け付け、受け付けた前記情報を、前記子供が発した形式の情報又は前記子供の状態を示す情報に変換することで、前記通知を生成することを含んでもよい。
【００２８】
上記態様によれば、状態を表す情報を、子供が発したかのような情報、又は、子供の状態を示す情報に変換して宛先である他の育児者に送信することで、他の育児者の理解をより一層深めることに貢献し得る。
【００２９】
例えば、前記宛先は、判定された前記子供の状態、および、判定された前記大人の状態に応じて定められてもよい。
【００３０】
上記態様によれば、通知の宛先が、子供の状態及び大人の状態に基づいて定められる。子供の状態及び大人の状態によっては、特定の宛先に通知することが不適切で場合があり得る。このような場合には、当該特定の宛先に通知しないようにすることができる。
【００３１】
例えば、さらに、前記音情報が示す音に含まれる環境音を識別し、前記大人の状態を判定することは、識別された前記大人の音声、および、前記環境音に基づいて、前記大人の状態を判定することを含んでもよい。
【００３２】
上記態様によれば、大人の状態を判定するためにさらに環境音が用いられる。そして、さらに環境音に基づいて判定された大人の状態に応じて通知が生成され送信される。これにより、大人の状態をより詳細に判定することができ、この詳細な判定に基づいて通知の生成及び送信がなされる。
【００３３】
例えば、前記情報処理方法では、さらに、人を検知するセンサによる検知結果を取得し、前記大人の状態を判定することは、識別された前記大人の音声、および、前記検知結果に基づいて、前記大人の状態を判定することを含んでもよい。
【００３４】
上記態様によれば、大人の状態を判定するためにさらにセンサが用いられる。そして、さらにセンサに基づいて判定された大人の状態に応じて通知が生成され送信される。これにより、大人の状態をより詳細に判定することができ、この詳細な判定に基づいて通知の生成及び送信がなされる。
【００３５】
例えば、前記情報処理方法では、さらに、前記宛先の位置を示す位置情報を取得し、前記通知を前記宛先へ送信することは、前記位置情報を参照して、前記宛先が所定の位置にいることに応じて前記通知を前記宛先へ送信することを含んでもよい。
【００３６】
上記態様によれば、通知の宛先である他の育児者の位置に応じて通知を送信し得る。他の育児者が通知を確認しやすい状態において通知を送信することにより、他の育児者が通知を認識する確実性が向上し得る。
【００３７】
例えば、前記所定の位置は、乗り物に係る乗降記録機が設置されている位置であり、前記宛先に係る人が携帯する端末による近接無線通信を用いて前記乗降記録機と通信したことに応じて、前記通知を前記宛先へ送信することを含んでもよい。
【００３８】
上記態様によれば、他の育児者が通知を確認しやすいタイミングとして、他の育児者が乗り物に乗降したことに応じて通知を送信する。これにより、他の育児者が通知を認識する確実性がより一層向上し得る。
【００３９】
また、本発明の一態様に係る情報処理装置は、収音装置による収音により得られる音情報が示す音に含まれる、子供の音声および大人の音声を識別する識別部と、識別された前記子供の音声に基づいて、前記子供の状態を判定する子供状態判定部と、識別された前記大人の音声に基づいて、前記大人の状態を判定する大人状態判定部と、判定された前記子供の状態、および、判定された前記大人の状態と、前記大人の状態についての通知の宛先とに応じて、前記通知を生成する生成部と、生成された前記通知を前記宛先へ送信する送信部とを備える。
【００４０】
これにより、上記情報処理方法と同様の効果を奏する。
【００４１】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００４２】
以下、実施の形態について、図面を参照しながら具体的に説明する。
【００４３】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４４】
（実施の形態１）
本実施の形態において、子供と育児者とが共に過ごしている状況についての、他の育児者の理解をより一層深めることを支援する情報処理方法などについて説明する。
【００４５】
まず、本発明者らが目指すサービスの概要について図１を参照しながら説明する。
【００４６】
図１は、本実施の形態における情報処理システム１が提供するサービスの概要を示す説明図である。
【００４７】
本発明者らは、子供の状態を遠隔にいる育児者に通知する技術分野において、子供の状態からだけでは見えない育児の大変さなどのネガティブな部分、または幸福感などのポジティブな部分を、他の育児者又は関係者と共有する技術に着目している。そして、上記のネガティブな部分又はポジティブな部分を他の育児者又は関係者に伝え、育児の状況の理解をより一層深めることを目指している。
【００４８】
なお、ここで「子供」とは、乳幼児を指し、より具体的には、生後０日から、６〜７歳までの人を指すが、これに限定されない。
【００４９】
図１に示されるように、本実施の形態における情報処理システム１では、宅内にマイクロフォンなどの音を取得する入力端末１０が配置される。そして、情報処理システム１は、入力端末１０により取得した音に基づいて、子供の音声と育児者の音声とを分析することで両者それぞれの状態を判定し、その状態を示す情報を他の育児者と共有すべきか否かを判断して情報を提示する。提示される情報は、他の育児者に提示されることが想定される。
【００５０】
なお、上記「育児者」が子供の母親であり、上記「他の育児者」が子供の父親であり、「関係者」が子供の祖父母である場合を例として説明するが、これに限定されない。より一般的には、上記「育児者」及び上記「他の育児者」ともに、大人でありさえすれば本実施の形態が適用され得る。なお、「大人」は、子供でない人とも表現され得る。
【００５１】
これにより、父親は、従来技術では把握できない育児の状況を把握することができる。また、父親は、育児の状況に加えて、日々の育児及び家事における、母親にとって負荷が極めて高いタイミング、または、母親にとっての幸福なタイミングを知ることができる。父親がこれらのタイミングを知ることができれば、これらのことについて後に夫婦で話す時間を設けるなどして、その事象についての詳しい情報を夫婦で共有することができる。このように、本実施の形態の情報処理システム１は、子供と育児者とが共に過ごしている状況についての、他の育児者の理解をより一層深めることを支援する。
【００５２】
以降において、本実施の形態の情報処理システム１等について詳しく説明する。
【００５３】
図２は、本実施の形態における情報処理システム１の機能を示すブロック図である。
【００５４】
図２に示されるように、情報処理システム１は、入力部１０１と、識別部１０２と、子供状態判定部１０３と、母親状態判定部１０４と、保持部１０５及び１０６と、共有判定部１０７と、生成部１０８と、送信部１０９と、表示部１１０とを備える。
【００５５】
入力部１０１は、収音装置により周囲の音を収音し、収音した音を示す音情報を生成する入力装置である。入力部１０１は、例えば、マイクロフォンである。
【００５６】
識別部１０２は、入力部１０１から音情報を取得し、取得した音情報が示す音に含まれる子供の音声、および、母親の音声を識別する。例えば、識別部１０２が子供の音声、および、母親の音声を識別する際には、子供の音声の周波数が比較的高く、母親の音声の周波数が比較的低いという特徴を利用して、所定より低い周波数を子供の音声と識別し、所定より高い周波数を母親の音声と識別することができる。
【００５７】
子供状態判定部１０３は、識別部１０２により識別された子供の音声を分析することで、子供の状態を判定する処理部である。
【００５８】
母親状態判定部１０４は、識別部１０２により識別された母親の音声を分析することで、母親の状態を判定する処理部である。
【００５９】
保持部１０５は、子供状態判定部１０３により判定された子供の状態を一時的に、又は、恒久的に保持する記憶装置である。
【００６０】
保持部１０６は、母親状態判定部１０４により判定された母親の状態を一時的に、又は、恒久的に保持する記憶装置である。
【００６１】
共有判定部１０７は、保持部１０５に保持されている子供の状態と、保持部１０６に保持されている母親の状態とに基づいて、これらの状態を示す情報を予め登録されている宛先（例えば父親又は祖父母）と共有すべきか否かを判定する処理部である。
【００６２】
生成部１０８は、予め登録された人物と共有すべきと共有判定部１０７により判定されたことに応じて、予め登録されている宛先（例えば父親又は祖父母）に提示すべき通知を生成する処理部である。通知の生成の際には、当該通知の宛先に応じて、通知が生成される。通知の内容等については、後で詳しく説明する。
【００６３】
送信部１０９は、生成部１０８により生成された画像を父親又は祖父母の携帯端末に送信する処理部である。送信部１０９は、画像を示す情報を送信するための送信回路、及び、コネクタ又はアンテナなどを含む。
【００６４】
表示部１１０は、送信部１０９により送信された画像を表示する表示部である。表示部１１０は、例えば、携帯電話又はスマートフォンなどの携帯端末の表示画面である。
【００６５】
なお、識別部１０２と、子供状態判定部１０３と、母親状態判定部１０４と、保持部１０５及び１０６と、共有判定部１０７と、生成部１０８とは、例えば、プロセッサがメモリを用いて、記憶装置等に保存された所定のプログラムを実行することで実現され得る。
【００６６】
なお、識別部１０２が、入力部１０１から取得した音情報が示す音から子供の音声を識別する技術は、例えば、公知の子供音声識別技術であるxauris（ゾウリス）を用いて実現され得る。xaurisは、開発者らがあらかじめ集めた子供の音声と状態との関係を示す学習データからディープラーニングを用いて構築された学習モデルを用いて、実行環境において入力された子供の音声から子供の状態を「泣き」、「笑い」、「ぐずり」、「喃語（言葉にならない発話）」の４種類に識別する。よって、識別部１０２が行う処理のうちの子供の音声を識別する処理と、子供状態判定部１０３が行う処理とは、xaurisで実現され得る。この場合、子供状態判定部１０３の判定結果として、「泣き」、「笑い」、「ぐずり」及び「喃語」の４種類の状態が保持部１０５に格納される。
【００６７】
また、識別部１０２が、入力部１０１から取得した音情報が示す音から母親の音声を識別する技術は、公知の話者識別技術を用いて実現され得る。話者識別技術は、さまざまな要素技術により構成されるが、例えば、基本周波数と特定の帯域のスペクトル包絡特性とを用いて検出する方法が採用され得る。ただし、話者識別技術を用いる代わりに、マイクロフォンのような収音デバイスを母親の衣類または装飾品に装着または搭載し、この収音デバイスが取得する音声が母親の音声であると識別する方法を採用してもよい。
【００６８】
なお、母親状態判定部１０４が、識別部１０２により識別された母親の音声を分析して母親の状態を判定する技術は、公知の感情解析エンジンを用いて実現され得る。例えば、感情解析エンジンは、人の声を「言葉」としてではなく、「音（トーン）」として捕え、音から人の感情を数値化する。出力される感情は、例えば、「怒り」、「集中」、「困惑」、「興奮」、「思考」、「ストレス」、「躊躇」、「幸福感」、「興味・関心」、「悲しみ・不満」などがある。ここでは、母親状態判定部１０４が、上記のように「怒り」等の感情を出力する場合を例として説明する。母親状態判定部１０４の判定結果は、例えば、「怒り：５」、「集中：８」、「困惑：２」というように、感情と数値との組み合わせとして保持部１０６に格納される。
【００６９】
なお、情報処理システム１は、例えば、入力端末１０と、サーバ２０と、表示端末３０とを備えて構成される。入力端末１０とサーバ２０との間、及び、サーバ２０と表示端末３０との間はネットワーク（不図示）により通信可能に接続されている。情報処理システム１が備える上記の機能ブロックは、入力端末１０と、サーバ２０と、表示端末３０とが分担して備える。
【００７０】
例えば、入力端末１０は、母親のスマートフォンなどの携帯端末、又は、収音装置と通信機能とを有する専用装置などを採用し得る。サーバ２０は、入力端末１０及び表示端末３０とネットワークを介して通信可能に接続され得るサーバ装置、いわゆるクラウドサーバなどを採用し得る。表示端末３０は、父親のスマートフォン等の携帯端末を採用し得る。
【００７１】
そして、入力端末１０が入力部１０１を備える。サーバ２０が、識別部１０２と、子供状態判定部１０３と、母親状態判定部１０４と、保持部１０５及び１０６と、共有判定部１０７と、生成部１０８と、送信部１０９とを備える。表示端末３０が表示部１１０を備える。
【００７２】
この場合、入力端末１０は、入力部１０１が生成した音情報をネットワークを通じてサーバ２０の識別部１０２に送信する。また、サーバ２０は、送信部１０９が送信する画像等のデータをネットワークを通じて表示端末３０の表示部１１０に送信する。
【００７３】
なお、上記の各装置の機能の分担は、あくまで一例であり、他の機能分担を採用することも可能である。
【００７４】
図３は、本実施の形態における共有判定部１０７が判定に用いる条件を示すテーブルＴ１の説明図である。テーブルＴ１には、共有判定部１０７が判定に用いる条件の例である第一条件及び第二条件が示されている。
【００７５】
共有判定部１０７は、保持部１０５に保持されている子供の状態と、保持部１０６に保持されている母親の状態とに基づいて、これらの状態を示す情報を父親又は祖父母と共有すべきか否かを判定する。この判定のための条件には、さまざまなものが採用され得るが、例えば、ネガティブな状況において上記情報を共有すべきと判定するための条件（第一条件）と、ポジティブな状況において上記情報を共有すべきと判定するための条件（第二条件）とのいずれかが満たされる場合に、上記情報を父親等と共有すべきと共有判定部１０７が判定する。以降において、各状況、並びに、第一条件及び第二条件について説明する。
【００７６】
（１）ネガティブな状況、及び、第一条件について
ネガティブな状況とは、子供が泣いたりぐずったりしており、かつ、母親が怒りなどのネガティブな感情を抱いている状況を指す。このような状況では、父親又は祖父母による育児若しくは家事の助け、又は、心理面での支えが必要であるので、これらの状態を示す情報を父親又は祖父母と共有すべきであると考えられる。
【００７７】
第一条件は、保持部１０５に格納された子供の状態についての条件（「子供の条件」ともいう）と、保持部１０６に格納された母親の状態についての条件（「母親の条件」ともいう）とにより規定される。具体的には、第一条件は、保持部１０５に格納された子供の状態が「泣き」または「ぐずり」であり、かつ、母親の感情に基づいて以下の（式１）により算出される第一指標が閾値以上であること、とすることができる。
【００７８】
第一指標＝（「怒り」の度合い）＋（「ストレス」の度合い）＋（「困惑」の度合い）−（「幸福感」の度合い）      （式１）
【００７９】
ここで、上記の「怒り」等の各感情は、保持部１０６に格納された、上記時点における母親の状態から取得される。また、例えば、「怒り」等の各感情の度合いが０〜１０で評価される場合、第一条件における閾値は例えば１５とする。
【００８０】
なお、第一指標は、当該状態を母親と父親とで共有する重要性を示す指標とも言える。第一指標は、上記の他、１以上のネガティブな感情の度合いの合計から、１以上のポジティブな感情の度合いを減算した結果として算出されてもよいし、１以上のネガティブな感情の度合いの合計のみから算出されてもよい。
【００８１】
なお、第一条件の判定において、上記の子供の条件と母親の条件とが、所定の時間（「継続時間」ともいう。例えば６０秒）以上継続して満たされる場合にのみ、第一条件を満たすと判定するようにしてもよい。子供の状態と母親の状態とについて、数秒程度の短時間だけにネガティブな状況が発生したとしても、その情報を父親などと共有する必要性は比較的低いと考えられるためである。以降では、子供の条件と母親の条件とが所定の継続時間だけ継続して満たされる場合に第一条件を満たすと判定する場合を説明する。
【００８２】
（２）ポジティブな状況、及び、第二条件について
ポジティブな状況とは、子供が笑ったり喃語を発したりしており、かつ、母親が幸福感などのポジティブな感情を抱いている状況を指す。このような状況では、父親又は祖父母にも同様の感情を抱かせるのが望ましいので、これらの状態を示す情報を父親又は祖父母と共有すべきであると考えられる。
【００８３】
第二条件は、保持部１０５に格納された子供の状態についての条件、つまり、子供の条件と、保持部１０６に格納された母親の状態についての条件、つまり、母親の条件とにより規定される。具体的には、第二条件は、保持部１０５に格納された子供の状態が「笑い」または「喃語」であり、かつ、母親の感情に基づいて以下の（式２）により算出される第二指標が閾値以上であること、とすることができる。
【００８４】
第二指標＝（「幸福感」の度合い）＋（「集中」の度合い）＋（「興味」の度合い）−（「ストレス」の度合い）      （式２）
【００８５】
ここで、上記の「幸福感」等の各感情は、保持部１０６に格納された、上記時点における母親の状態から取得される。また、例えば、「幸福感」等の各感情の度合いが０〜１０で評価される場合、第一条件における閾値は例えば１５とする。
【００８６】
なお、第二指標は、第一指標と同様、当該状態を母親と父親とで共有する重要性を示す指標とも言える。第二指標は、第一指標と同様、１以上のポジティブな感情の度合いの合計から、１以上のネガティブな感情の度合いを減算した結果として算出されてもよいし、１以上のポジティブな感情の度合いの合計のみから算出されてもよい。
【００８７】
なお、第二条件の判定においても、第一条件の場合と同様、上記の子供の条件と母親の条件とが、所定の時間（つまり継続時間）以上継続して満たされる場合にのみ、第二条件を満たすと判定するようにしてもよい。以降では、子供の条件と母親の条件とが所定の継続時間だけ継続して満たされる場合に第二条件を満たすと判定する場合を説明する。
【００８８】
図４は、本実施の形態における通知の宛先と、通知の内容を示すテーブルＴ２の説明図である。テーブルＴ２には、第一条件及び第二条件のそれぞれが満たされた場合の、通知の宛先と、通知の宛先ごとの通知の内容とが示されている。通知の宛先は、子供の状態、および、大人の状態に応じて定められている。
【００８９】
（１）第一条件が満たされた場合
生成部１０８は、共有判定部１０７が第一条件を満たすと判定した場合には、子供の父親と、子供の母方の祖父母とのそれぞれに提示するための通知を生成する。
【００９０】
例えば、子供の父親に提示するための通知としては、子供と母親との状態を時系列で示すグラフ上における、第一条件を満たすと判定した時点に相当する位置に、所定の画像を付加した画像を生成する。ここで、所定の画像は、例えば、猫の手のイラスト（図柄）を示す画像である。この所定の画像が付加された時点での母親の状況が、極めて忙しい状況、いわゆる猫の手も借りたい状況（日本のことわざに由来した表現）である時点であるからである。また、所定の画像は、「ママを困らせちゃいました」というメッセージのように、その時点の状況を子供が発したかのような言葉を示す画像としてもよい。
【００９１】
また、例えば、子供の母方の祖父母に提示するための通知としては、「めっちゃ大変なんですけど」というメッセージのように、その時点の状況を母親が発したような言葉を示す画像としてもよい。
【００９２】
（２）第二条件が満たされた場合
生成部１０８は、共有判定部１０７が第二指標を算出した場合には、子供の父親と、母方の祖父母と、父方の祖父母とのそれぞれに提示するための通知を生成する。
【００９３】
例えば、子供の父親と、父方の祖父母の場合には、子供と母親との状態を時系列で示すグラフ上における、第二条件を満たすと判定した時点に相当する位置に、所定の画像を付加した画像を生成する。ここで、所定の画像は、例えば、母子の笑顔のイラストを示す画像である。また、所定の画像は、「すっごくたのしんでまちゅ！」というメッセージのように、その時点の母親及び子供の状況を子供が発したかのような言葉を示す画像としてもよい。
【００９４】
また、例えば、子供の母方の祖父母に提示するための通知としては、「すっごく楽しいことがありました！」というメッセージのように、その時点の状況を母親が発したような言葉を示す画像としてもよい。
【００９５】
このように、生成部１０８は、通知の宛先に応じて異なる表現又は内容を有する通知を生成してもよい。これにより、通知の宛先である他の育児者、例えば、父親又は祖父母に応じて異なる表現又は内容によって、その宛先に通知がなされる。通知がその宛先に応じて適切な表現又は内容を有していることで、通知の宛先である他の育児者の理解をより一層深めることを支援することができる。
【００９６】
また、生成部１０８は、母親の状態を示す図柄又は文章を含む通知を生成してもよい。これにより、図柄又は文章を含む通知が送信される。通知に含まれる図柄又は文章によって、通知の宛先である他の育児者は、より直観的に通知の内容を把握できる。
【００９７】
そして、生成部１０８は、通知を生成する際には、生成される通知が母親の状態を示す図柄又は文章を含むか含まないかが、宛先に応じて異なる通知を生成してもよい。また、生成部１０８は、通知を生成する際には、図柄又は文章の内容が、宛先に応じて異なる通知を生成してもよい。これにより、通知に図柄又は文章を含むか否かを、宛先に応じて異ならせることができる。通知の宛先によっては、通知に図柄又は文章を含むことが適切でないこともあり得るので、このような場合に図柄又は文章を含まない通知を送信するのが適切である。この態様によれば、図柄又は文章を含む通知が適切である宛先には図柄又は文章を含む通知を送信し、図柄又は文章を含まない通知が適切である宛先には図柄又は文章を含まない通知を送信し得る。
【００９８】
また、生成部１０８は、通知を生成する際には、生成される通知に含まれる図柄又は文章の表現又は内容が、宛先に応じて異なる通知を生成してもよい。これにより、通知に含まれる図柄又は文章の表現又は内容を、宛先に応じて異ならせることができる。そして、宛先に応じて適切な表現又は内容の図柄又は文章を含む通知を送信し得る。
【００９９】
また、生成部１０８は、通知を生成する際には、文章の表現が宛先の属性に応じて異なる通知を生成してもよい。これにより、通知に含まれる文章の表現を、宛先の属性に応じて異ならせることができる。ここで宛先の属性とは、男性、女性、母方又は父方などを意味する。そして、宛先の属性に応じて適切な表現の文章を含む通知を送信し得る。
【０１００】
なお、生成部１０８は、通知を生成する際には、子供の状態、および、母親の状態の少なくとも一方に応じて通知の重要性を示す指標を算出し、算出した指標が閾値より高い場合にのみ、通知を生成してもよい。上記の第一指標及び第二指標は、母親の状態に応じて通知の重要性を示す指標の一例である。上記の第一指標及び第二指標の代わりに、子供の状態に応じて通知の重要性を示す指標を採用することも可能である。これにより、子供の状態、又は、大人の状態から算出される指標に基づいて、通知を生成するか否かを制御できる。これにより、具体的かつ定量的に、通知を生成するか否かを制御することができる。
【０１０１】
なお、生成部１０８は、通知を生成する際には、子供の状態、および、母親の状態の少なくとも一方に応じて、通知の重要性を示す指標を算出し、算出した指標が大きいほど、より大きな図柄を含む通知を生成してもよい。具体的には、上記の猫の手のイラスト、又は、母子の笑顔を示すイラストの寸法をより大きくしてもよい。これにより、子供の状態、又は、大人の状態から算出される指標に基づいて、通知に含まれる図柄の大きさを制御できる。これにより、具体的かつ定量的に、通知に含まれる図柄の大きさを制御し、通知の宛先である他の育児者の理解をより一層深めることに貢献し得る。
【０１０２】
以上のように構成された情報処理装置について、その処理の流れを具体例と図面を用いて説明する。
【０１０３】
図５は、本実施の形態における識別部１０２、子供状態判定部１０３及び母親状態判定部１０４が実行する処理の流れを示すフロー図である。
【０１０４】
ステップＳ１において、識別部１０２は、入力部１０１から音情報を取得し、取得した音情報が示す音に含まれる子供の音声、および、母親の音声を識別する。
【０１０５】
ステップＳ２において、識別部１０２は、ステップＳ１で子供の音声が識別されたか否かを判定する。子供の音声が識別されたと判定した場合（ステップＳ２でＹｅｓ）にはステップＳ３に進み、そうでない場合（ステップＳ２でＮｏ）にはステップＳ４に進む。
【０１０６】
ステップＳ３において、子供状態判定部１０３は、ステップＳ１で識別した子供の音声に基づいて子供の状態を判定し、子供の状態を保持部１０５に格納する。
【０１０７】
ステップＳ４において、識別部１０２は、ステップＳ１で母親の音声が識別されたか否かを判定する。母親の音声が識別されたと判定した場合（ステップＳ４でＹｅｓ）にはステップＳ５に進み、そうでない場合（ステップＳ４でＮｏ）には、本フロー図に示された一連の処理を終了する。
【０１０８】
ステップＳ５において、母親状態判定部１０４は、ステップＳ１で識別した母親の音声に基づいて母親の状態を判定し、母親の状態を保持部１０６に格納する。
【０１０９】
以上の処理について、具体例に当てはめながら、さらに詳しく声明する。
【０１１０】
ここでは、ある日の夕方、夕飯の支度時に母親がキッチンに立ったところ、少しお腹がすいてきた２歳の子供が母親に相手してほしさにぐずり出してしまったシーンを例に説明する。子供が泣きながら母親をキッチンから連れ出そうとして、また、早くご飯を食べたいことから「あっちーあっちーい！」、「ほちい！」などという言葉を発しながら、母親の作業を邪魔し、ぐずって泣き出してしまった。これに対し、母親が「今は無理！」、「ごはん食べられないよ？いいの！？」、「だーめ！」などという言葉を発しながら、無理やり作業をすすめようとするやり取りが２分間続いたとする。
【０１１１】
まず、識別部１０２が、入力部１０１から取得した音情報に含まれる子供の音声「あっちーあっちーい！」及び「ほちい！」を識別する。また、識別部１０２が、入力部１０１から取得した音情報に含まれる母親の音声「今は無理！」、「ごはん食べられないよ？いいの！？」及び「だーめ！」を識別する（ステップＳ１）。
【０１１２】
子供状態判定部１０３は、ステップＳ１で識別した子供の音声「あっちーあっちーい！」及び「ほちい！」に基づいて、子供の状態が「ぐずり」であると判定し、その判定結果を保持部１０５に格納する（ステップＳ３）。
【０１１３】
母親状態判定部１０４は、ステップＳ１で識別した母親の音声「今は無理！」、「ごはん食べられないよ？いいの！？」及び「だーめ！」に基づいて、母親の状態が「怒り：８」、「困惑：８」、「ストレス：９」、「幸福感：１」であると判定し、その判定結果を保持部１０６に格納する（ステップＳ５）。
【０１１４】
次に、共有判定部１０７による処理について説明する。
【０１１５】
図６は、本実施の形態における共有判定部１０７が実行する処理の流れを示すフロー図である。
【０１１６】
ステップＳ１１において、共有判定部１０７は、保持部１０５から子供の状態を取得し、また、保持部１０６から母親の状態を取得する。
【０１１７】
ステップＳ１２において、共有判定部１０７は、ステップＳ１１で取得した子供の状態が「泣き」又は「ぐずり」であるか否かを判定する。子供の状態が「泣き」又は「ぐずり」である場合（ステップＳ１２でＹｅｓ）には、ステップＳ１３に進み、そうでない場合（ステップＳ１２でＮｏ）には、ステップＳ２１に進む。
【０１１８】
ステップＳ１３において、共有判定部１０７は、ステップＳ１１で取得した母親の状態に基づいて上記（式１）を用いて第一指標を算出する。
【０１１９】
ステップＳ１４において、共有判定部１０７は、算出した第一指標が閾値以上であるか否かを判定する。第一指標が閾値以上である場合（ステップＳ１４でＹｅｓ）には、ステップＳ１５に進み、そうでない場合（ステップＳ１４でＮｏ）には、本フロー図の処理を終了する。
【０１２０】
ステップＳ１５において、共有判定部１０７は、現時点の状態、つまり、子供の状態が「泣き」又は「ぐずり」であり、かつ、母親の感情に基づく第一指標が閾値以上である状態が直近の６０秒間継続しているか否かを判定する。現時点の状態が直近の６０秒間継続している場合（ステップＳ１５でＹｅｓ）には、ステップＳ１６に進み、そうでない場合（ステップＳ１５でＮｏ）には、本フロー図の処理を終了する。
【０１２１】
ステップＳ１６において、生成部１０８は、ステップＳ１３で共有判定部１０７により算出された第一指標に基づいて通知を生成する。生成される通知は、上記のとおり、通知の宛先に応じて異なる表現又は内容を含んでもよい。
【０１２２】
ステップＳ１７において、送信部１０９は、ステップＳ１６で生成された通知を送信し、表示部１１０により表示する。ステップＳ１７の処理を終えたら、本フロー図に示されている一連の処理を終了する。
【０１２３】
ステップＳ２１において、共有判定部１０７は、ステップＳ１１で取得した子供の状態が「笑い」又は「喃語」であるか否かを判定する。子供の状態が「笑い」又は「喃語」である場合（ステップＳ２１でＹｅｓ）には、ステップＳ２２に進み、そうでない場合（ステップＳ２１でＮｏ）には、本フロー図の処理を終了する。
【０１２４】
ステップＳ２２において、共有判定部１０７は、ステップＳ１１で取得した母親の状態に基づいて上記（式２）を用いて第二指標を算出する。
【０１２５】
ステップＳ２３において、共有判定部１０７は、算出した第二指標が閾値以上であるか否かを判定する。第二指標が閾値以上である場合（ステップＳ２３でＹｅｓ）には、ステップＳ２４に進み、そうでない場合（ステップＳ２３でＮｏ）には、本フロー図の処理を終了する。
【０１２６】
ステップＳ２４において、共有判定部１０７は、現時点の状態、つまり、子供の状態が「笑い」又は「喃語」であり、かつ、母親の感情に基づく第二指標が閾値以上である状態が直近の６０秒間継続しているか否かを判定する。現時点の状態が直近の６０秒間継続している場合（ステップＳ２４でＹｅｓ）には、ステップＳ２５に進み、そうでない場合（ステップＳ２４でＮｏ）には、本フロー図の処理を終了する。
【０１２７】
ステップＳ２５において、生成部１０８は、ステップＳ２２で共有判定部１０７により算出された第二指標に基づいて通知を生成する。生成される通知は、上記のとおり、通知の宛先に応じて異なる表現又は内容を含んでもよい。ステップＳ２５を終えたら、ステップＳ１７に進む。
【０１２８】
このように、ステップＳ１６及びＳ２５において、生成部１０８は、子供の状態、および、母親の状態と、母親の状態についての通知の宛先とに応じて、通知を生成する。これにより、子供と育児者とが共に過ごしている状況についての、他の育児者の理解をより一層深めることを支援する。
【０１２９】
具体例を示しながらさらに具体的に説明する。
【０１３０】
上記ステップＳ１１において共有判定部１０７が、子供の状態として「ぐずり」を、母親の状態として「怒り：８」、「困惑：８」、「ストレス：９」、「幸福感：１」を取得したとする。この場合、子供の状態が「ぐずり」であり（ステップＳ１２でＹｅｓ）、第一指標が以下の（式３）から２４と算出され（ステップＳ１３）、閾値１５を超えている。
【０１３１】
第一指標＝８＋９＋８―１＝２４      （式３）
【０１３２】
また、子供の状態が「ぐずり」であり、かつ、第一指標が閾値を超えている状態が６０秒以上継続しているので（ステップＳ１４でＹｅｓ）、生成部１０８が第一指標に基づいて通知を生成する（ステップＳ１６）。
【０１３３】
次に、生成部１０８は、通知の宛先（具体的には、子供の父親と、子供の母方の祖父母）ごとに、通知のための画像を生成する（ステップＳ１６）。例えば、生成部１０８は、父親に送付する画像として、子供と母親との状態を時系列で示すグラフ上に猫の手のイラストを付与した画像を生成する。また、生成部１０８は、母方の祖父母に送付する画像として、子供の母親が発したような「めっちゃ大変」というメッセージを含む画像を生成する。生成部１０８は、生成した画像を送信部１０９を経由して、表示部１１０へ提供する（ステップＳ１７）。
【０１３４】
以上の一連の処理により情報処理システム１が提示する画像について説明する。
【０１３５】
図７は、本実施の形態における情報処理システム１が提示する画像の第一例を示す説明図である。
【０１３６】
図７の（ａ）に示される表示端末３０の表示部１１０は、子供と母親との状態を時系列で示すグラフとともに、母親の状態を示す、猫の手のイラスト４０が付された画像を表示している。このグラフは、より具体的には、子供と母親との状態の一例としての、子供と母親が発する音声の頻度を縦軸に示し、時間経過を横軸に示したものである。なお、音声の頻度の代わりに、音声の強度が用いられてもよい。
【０１３７】
これより、父親は、従来技術では把握できない育児の状況を、定量情報とともに把握することができる。そして、母親は、育児の状況を父親又は関係者と共有することができる。それに加えて、情報処理システム１は、日々の育児及び家事における、母親にとって負荷が極めて高いタイミング、または、母親にとっての幸福なタイミングと、その事象とを父親又は関係者に通知する。これにより、父親又は関係者にとってその情報に対する興味を湧かせ、育児に対する理解がより一層深まり、さらには家庭生活の充実につなげることができる。
【０１３８】
このように育児及び家事に関する情報を共有することが、家庭においてその後の育児サポートが円滑に行われるための大きな一歩になることは言うまでもない。また、父親における意識の変革や所謂「イクメン」の精神の醸成にもつながる。
【０１３９】
なお、生成部１０８が通知の宛先によって異なる画像を生成することで、通知の宛先ごとに適した形式で通知を行うことができ、通知の宛先の者によるより一層の理解を得ることができる。
【０１４０】
なお、通知の形式は、上記のように、子供と母親との状態を時系列で示すグラフとともに母親の状態を示す画像を示すものに限定されない。例えば、図７の（ｂ）に示されるように、表示端末３０上での短文の通知、例えばスマートフォンのロック画面におけるいわゆるプッシュ通知４１であってもよい。
【０１４１】
なお、通知に含まれる画像には、母親が入力した文字列が付されていてもよい。このことについて図８を参照しながら具体的に説明する。
【０１４２】
図８は、本実施の形態における情報処理システム１が提示する画像の第二例を示す説明図である。
【０１４３】
図８の（ａ）は、上記グラフとともに、母親の状態を示す文字列を含む画像４２を示している。画像４２は、母親から受け付けた文字列「またもや起こされた」を含む画像である。これにより、母親が自身で入力した情報が父親又は関係者に共有され得る。
【０１４４】
さらにこの場合、母親から受け付けた文字列を、子供が発した形式の情報又は子供の状態を示す情報に変換することで、通知を生成してもよい。例えば、上記の文字列「またもや起こされた」を子供が発した形式の情報「またママをおこしちゃったの」に変換した画像４３を含む通知を生成してもよい（図８の（ｂ））。このとき、変換前の情報と変換後の情報とは、ともに母親の状態を表現したものであるので、表現方式が異なるものの、意図は概ね維持される。母親の状態を母親が表現する言葉よりも、その母親の状態を、子供が発したかのような言葉で表現する方が、父親又は関係者に、より適切に共有され得る可能性があるからである。これにより、状態を表す情報を、子供が発したかのような情報に変換して宛先である他の育児者に送信することで、他の育児者の理解をより一層深めることに貢献し得る。なお、さらに子供のイラスト４４を付すことで、その言葉を子供が発した雰囲気を強調することもできる。
【０１４５】
なお、母親状態判定部１０４による母親の状態の判定について、ここでは母親の音声のみに基づいて状態を判定したが、調理家電、例えばＩＨクッキングヒーターのＯＮ／ＯＦＦ音、又は、流し台における流水音の有無などを検知して母親の状態の判定に用いてもよい。また、調理家電などの機器から直接にステータス情報を入手して用いてもよい。さらには、家電機器に搭載されているセンサの情報、例えば、温度、湿度、また人行動を検知して母親状態の分析に用いてもよい。
【０１４６】
以上のように本実施の形態の情報処理システムは、子供と大人の状態とに応じて生成される通知を宛先に送信する。また、通知は、通知の宛先に応じて生成される。大人がその子供の育児者（例えば母親）であり、通知の宛先が、その子供の他の育児者（例えば父親又は祖父母）である場合、子供と母親の状態を示す通知が、その宛先（つまり父親であるのか、又は、祖父母であるのか等）に応じて生成され送信される。宛先に応じて生成された情報が通知されるので、宛先である他の育児者の理解が得られやすい。よって、子供と育児者とが共に過ごしている状況についての、他の育児者の理解をより一層深めることを支援することができる。
【０１４７】
（実施の形態２）
本実施の形態において、子供と育児者とが共に過ごしている状況についての、他の育児者の理解をより一層深めることを支援する情報処理方法などについて説明する。本実施の形態の情報処理方法は、子供と育児者（母親）との音声に加えて、さらに環境音に基づいて、子供と育児者とが共に過ごしている状況を判定し、他の育児者の理解をより一層深めることを支援する。
【０１４８】
図９は、本実施の形態における情報処理システム２の機能を示すブロック図である。
【０１４９】
図９に示されるように、情報処理システム２は、入力部１０１と、識別部１０２Ａと、子供状態判定部１０３と、母親状態判定部１０４と、保持部１０５及び１０６と、共有判定部１０７Ａと、生成部１０８と、送信部１０９と、表示部１１０と、環境音判定部１１２と、保持部１１３とを備える。
【０１５０】
ここで、情報処理システム２の機能ブロックのうち、識別部１０２Ａと、環境音判定部１１２と、保持部１１３とを除く機能ブロックは、実施の形態１におけるものと同じであるので詳細な説明を省略する。また、サーバ２０Ａは、実施の形態１におけるサーバ２０に相当する。
【０１５１】
識別部１０２Ａは、入力部１０１から音情報を取得し、取得した音情報が示す音に含まれる子供の音声、母親の音声、および環境音を識別する。ここで、識別部１０２Ａが、環境音を識別する点で識別部１０２と異なる。環境音とは、入力部１０１が収音装置により収音した周囲の音のうち、子供の音声と母親の音声とを除く音である。環境音は、具体的には、家電（例えばＩＨクッキングヒーター、電子レンジ、洗濯機又は玩具）の操作音及び動作音、家事に伴って生じる音（例えばキッチンのシンクの流水音、ドアの開閉音、包丁で物を切るときに生ずる音）、家事ではない動作に伴って生じる音（例えば楽器が発する音、手をたたく音、踊り又は歩行などにより生ずる足音）などを含む。
【０１５２】
環境音判定部１１２は、識別部１０２Ａにより識別された環境音を分析することで、環境に関する状態を判定する処理部である。
【０１５３】
保持部１１３は、環境音判定部１１２により判定された、環境に関する状態を一時的に、又は、恒久的に保持する記憶装置である。
【０１５４】
共有判定部１０７Ａは、保持部１０５に保持されている子供の状態と、保持部１０６に保持されている母親の状態と、保持部１１３に保持されている環境に関する状態とに基づいて、これらの状態を示す情報を予め登録されている宛先（例えば父親又は祖父母）と共有すべきか否かを判定する処理部である。より具体的には、共有判定部１０７Ａは、環境に関する状態から、母親が家事をしているか、又は、子供と遊戯をしているかを判定する。
【０１５５】
図１０は、本実施の形態における共有判定部１０７Ａが判定に用いる条件を示すテーブルＴ３の説明図である。テーブルＴ３には、共有判定部１０７Ａが判定に用いる条件の例である第一条件及び第二条件が示されている。
【０１５６】
共有判定部１０７Ａは、保持部１０５に保持されている子供の状態と、保持部１０６に保持されている母親の状態と、保持部１１３に保持されている環境に関する状態とに基づいて、第一条件及び第二条件が満たされるか否かを判定する。
【０１５７】
（１）第一条件について
第一条件は、実施の形態１の第一条件に加えて、環境に関する状態に基づく条件がさらに考慮される。具体的には、第一条件は、保持部１０５に格納された子供の状態が「泣き」または「ぐずり」である場合に、母親の感情に基づいて算出される第一指標が閾値以上である、又は、母親が家事をしていること、とすることができる。
【０１５８】
子供が泣いたりぐずったりしている時に、母親が家事をしている場合、母親の感情に関わらず、父親又は祖父母による育児若しくは家事の助け、又は、心理面での支えが必要であるので、これらの状態を示す情報を父親又は祖父母と共有すべきであるといえるからである。
【０１５９】
（２）第二条件について
第二条件は、実施の形態１の第二条件に加えて、環境に関する状態に基づく条件がさらに考慮される。具体的には、第二条件は、保持部１０５に格納された子供の状態が「笑い」または「喃語」である場合に、母親の感情に基づいて算出される第二指標が閾値以上である、又は、母親と子供とが共に遊戯をしていること、とすることができる。
【０１６０】
子供が笑ったり喃語を発したりしている時に、母親と子供とが共に遊戯中である場合、母親の感情に関わらず、父親又は祖父母にも幸福感などのポジティブな感情を抱かせるのが望ましいので、これらの状態を示す情報を父親又は祖父母と共有すべきであるといえるからである。
【０１６１】
以上のように構成された情報処理システム２について、その処理の流れを図面を用いて説明する。
【０１６２】
図１１は、本実施の形態における識別部１０２Ａ、子供状態判定部１０３、母親状態判定部１０４及び環境音判定部１１２が実行する処理の流れを示すフロー図である。
【０１６３】
なお、子供状態判定部１０３及び母親状態判定部１０４が実行する処理（ステップＳ２からＳ５）は、実施の形態１におけるものと同じであるので詳細な説明を省略する。
【０１６４】
ステップＳ１Ａにおいて、識別部１０２Ａは、入力部１０１から音情報を取得し、取得した音情報が示す音に含まれる子供の音声、母親の音声、および、環境音を識別する。
【０１６５】
ステップＳ２からＳ５において、子供状態判定部１０３が判定した子供の状態が保持部１０５に格納され、母親状態判定部１０４が判定した母親の状態が保持部１０６に格納される（詳細は実施の形態１を参照）。
【０１６６】
ステップＳ６において、識別部１０２Ａは、ステップＳ１で環境音が識別されたか否かを判定する。環境音が識別されたと判定した場合（ステップＳ６でＹｅｓ）にはステップＳ７に進み、そうでない場合（ステップＳ６でＮｏ）には、本フロー図に示された一連の処理を終了する。
【０１６７】
ステップＳ７において、環境音判定部１１２は、ステップＳ１で識別した環境音の音声に基づいて環境の状態を判定し、判定した環境の状態を保持部１１３に格納する。具体例では、ステップＳ１で識別した環境音である、ＩＨクッキングヒーターの操作音に基づいて、家事がなされていると判定し、その判定結果を保持部１１３に格納する。
【０１６８】
本フロー図に示された一連の処理が終了したら、共有判定部１０７Ａが、子供の状態と、母親の状態と、環境に関する状態とに基づいて、これらの状態を示す情報を父親又は祖父母と共有すべき度合いを示す指標を算出する。この処理は、図６に示される処理と同様であるが、ステップＳ１４及びステップＳ２３の処理のみが異なる。具体的には、ステップＳ１４の判定の条件を、「第一指標が閾値以上である、又は、母親が家事をしている？」とする。また、ステップＳ２３の判定の条件を、「第二指標が閾値以上である、又は、母親が遊戯をしている？」とする。
【０１６９】
このように、情報処理システム２は、子供の音声および大人の音声を識別する際には、子供の音声、大人の音声、および、環境音を識別し、大人の状態を判定する際には、識別された大人の音声、および、環境音に基づいて、大人の状態を判定してもよい。
【０１７０】
このようにすることで、情報処理システム２は、子供と母親との音声に加えて、さらに環境音に基づいて、子供と育児者とが共に過ごしている状況を判定し、他の育児者の理解をより一層深めることを支援する。
【０１７１】
なお、共有判定部１０７Ａが判定に用いる条件の別の例についてさらに説明する。
【０１７２】
図１２は、本実施の形態における共有判定部１０７Ａが判定に用いる別の条件を示すテーブルＴ４の説明図である。図１２に示されるテーブルＴ４は、図１０に示されるテーブルＴ３の代わりに用いられてもよいし、テーブルＴ３とともに用いられてもよい。
【０１７３】
（１）第一条件について
第一条件は、実施の形態１の第一条件に加えて、人（つまり子供又は母親）の動作に基づく条件がさらに考慮される。具体的には、第一条件は、保持部１０５に格納された子供の状態が「泣き」または「ぐずり」である場合に、母親の感情に基づいて算出される第一指標が閾値以上である、又は、人の動作がイレギュラーな動作であること、とすることができる。ここで、人のイレギュラーな動作は、走り回っている、せわしなく動いている又は大声を伴う動きなどのネガティブな事象に起因する動作であることが想定される。
【０１７４】
子供が泣いたりぐずったりしているときに、母親がイレギュラーな動作をしている場合、母親の感情に関わらず、父親又は祖父母による育児若しくは家事の助け、又は、心理面での支えが必要であるので、これらの状態を示す情報を父親又は祖父母と共有すべきであるといえるからである。
【０１７５】
（２）第二条件について
第二条件は、実施の形態１の第二条件に加えて、人（つまり子供又は母親）の動作に基づく条件がさらに考慮される。具体的には、第二条件は、保持部１０５に格納された子供の状態が「笑い」または「喃語」である場合に、母親の感情に基づいて算出される第二指標が閾値以上である、又は、人の動作がイレギュラーな動作であること、とすることができる。ここで、人のイレギュラーな動作は、上記（１）におけるイレギュラーな動作と異なり、両手を挙げている（高い高い）、遅い速度で継続的に移動している（追いかけっこ）、上下運動をしている（いないいないばあ）などのポジティブな事象に起因する動作であることが想定される。
【０１７６】
子供が笑ったり喃語を発したりしているときに、母親と子供とが共に遊戯中である場合、母親の感情に関わらず、父親又は祖父母にも幸福感などのポジティブな感情を抱かせるのが望ましいので、これらの状態を示す情報を父親又は祖父母と共有すべきであるといえるからである。
【０１７７】
このように、情報処理システム２は、さらに、大人の身体を検知するセンサによる検知結果を取得し、大人の状態を判定する際には、識別された大人の音声、および、上記検知結果に基づいて、大人の状態を判定してもよい。
【０１７８】
以上のように、本実施の形態に係る情報処理方法によれば、大人の状態を判定するためにさらに環境音が用いられる。そして、さらに環境音に基づいて判定された大人の状態に応じて通知が生成され送信される。これにより、大人の状態をより詳細に判定することができ、この詳細な判定に基づいて通知の生成及び送信がなされる。
【０１７９】
また、大人の状態を判定するためにさらにセンサが用いられる。そして、さらにセンサに基づいて判定された大人の状態に応じて通知が生成され送信される。これにより、大人の状態をより詳細に判定することができ、この詳細な判定に基づいて通知の生成及び送信がなされる。
【０１８０】
（実施の形態３）
本実施の形態において、子供と育児者とが共に過ごしている状況についての、他の育児者の理解をより一層深めることを支援する情報処理方法などについて説明する。本実施の形態の情報処理方法では、通知の宛先に係る人がより確認しやすいタイミングに通知を行うことで、通知を認識する確実性を向上させる、言い換えれば、伝え漏れを防ぐことができる。
【０１８１】
図１３は、本実施の形態における情報処理システム３の機能を示すブロック図である。
【０１８２】
図１３に示されるように、情報処理システム３は、入力部１０１と、識別部１０２と、子供状態判定部１０３と、母親状態判定部１０４と、保持部１０５及び１０６と、共有判定部１０７と、生成部１０８と、送信部１０９Ａと、表示部１１０と、位置取得部１１５とを備える。
【０１８３】
位置取得部１１５は、通知の宛先の位置を示す位置情報を取得する処理部である。位置取得部１１５は、具体的には、通知の宛先の者が携帯している携帯端末３２の位置情報を取得する位置センサである。位置取得部１１５は、例えば、鉄道会社の改札機のシステムから、携帯端末３２の保有者、つまり、子供の父親が、所定の駅の改札機を通過したことを示す情報を受信すると、子供の父親が当該改札機の地点の近傍の位置を示す位置情報を生成する。携帯端末３２は、例えば、改札機と近接無線通信をするスマートフォン又は携帯電話、若しくは、非接触型ＩＣカード等である。なお、位置取得部１１５は、携帯端末３２の位置情報を取得できるものであれば、他の手段であってもよい。位置取得部１１５は、例えば、携帯端末３２に搭載されたＧＰＳ（Ｇｌｏｂａｌ  Ｐｏｓｉｔｉｏｎｉｎｇ  Ｓｙｓｔｅｍ）受信器から、携帯端末３２の位置を取得してもよい。なお、携帯端末３２は、表示端末３０と同一の端末であってもよい。また、改札機との通信の代わりに、バスの運賃支払い機などの乗り物を利用する際に用いられる通信機（乗降記録機ともいう）との通信が利用されてもよい。
【０１８４】
送信部１０９Ａは、生成部１０８が生成した情報の送信タイミング、及び、情報の通知の態様を、位置取得部１１５が取得した位置情報に応じて制御する。具体的には、送信部１０９Ａは、位置取得部１１５が取得した位置情報を参照して、宛先が所定の位置に位置していることに応じて通知を宛先へ送信する。例えば、乗り物の乗降記録機の位置情報が既知である場合に、送信部１０９Ａは、宛先に係る人が携帯する端末による近接無線通信を用いて乗降記録機と通信したことに応じて通知を宛先へ送信する。より具体的には、宛先に係る人が携帯する端末による近接無線通信を用いて駅の改札を通過したタイミングに、通知を宛先へ送信する。
【０１８５】
図１４は、本実施の形態における送信部１０９Ａによる情報の送信タイミング、及び、情報の通知の態様を示す送信タイミングを示すテーブルＴ５の説明図である。
【０１８６】
図１４に示されるように、テーブルＴ５は、時間帯５１と、位置５２と、通知の態様５３との情報を、各エントリについて示す。各エントリは、時間帯と位置とが与えられる場合に、父親が保有する表示端末３０にどのような態様で通知をするかを示している。
【０１８７】
時間帯５１は、表示端末３０により通知を行う時間帯を示す情報である。時間帯５１は、例えば、午前、午後、７時台、１５時台のように時間帯を指定する。なお、時間帯の時間長はどのようなものであってもよく、数時間、数分であってもよい。
【０１８８】
位置５２は、表示端末３０により通知を行うときの表示端末３０の位置を示す情報である。位置５２は、位置を一意に特定し得る情報であればどのような形式でもよく、一組の緯度及び経度、住所、目印となる建物の名称などである。
【０１８９】
通知の態様５３は、表示端末３０により通知を行う態様を示す情報である。例えば、通知の態様５３は、「画像の更新」又は「プッシュ通知」がある。
【０１９０】
以上のように、本実施の形態に係る情報処理方法によれば、通知の宛先である他の育児者の位置に応じて通知を送信し得る。他の育児者が通知を確認しやすい状態において通知を送信することにより、他の育児者が通知を認識する確実性が向上し得る。
【０１９１】
また、他の育児者が通知を確認しやすいタイミングとして、他の育児者が乗り物に乗降したことに応じて通知を送信する。これにより、他の育児者が通知を認識する確実性がより一層向上し得る。
【０１９２】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の情報処理システムなどを実現するソフトウェアは、次のようなプログラムである。
【０１９３】
すなわち、このプログラムは、コンピュータに、プロセッサを用いて、収音装置による収音により得られる音情報を取得し、前記音情報が示す音に含まれる、子供の音声および大人の音声を識別し、識別された前記子供の音声に基づいて、前記子供の状態を判定し、識別された前記大人の音声に基づいて、前記大人の状態を判定し、判定された前記子供の状態、および、判定された前記大人の状態と、前記大人の状態についての通知の宛先とに応じて、前記通知を生成し、生成された前記通知を前記宛先へ送信する、情報処理方法を実行させる。
【０１９４】
以上、一つまたは複数の態様に係る情報処理システムなどについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１９５】
本発明は、子供（乳幼児）と育児者（例えば母親）における育児などの状況を、他の育児者（例えば父親）又は関係者（例えば祖父母）との間で共有する情報共有方法などとして有用である。
【符号の説明】
【０１９６】
１、２、３    情報処理システム
１０    入力端末
２０、２０Ａ    サーバ
３０    表示端末
３２    携帯端末
４０、４４    イラスト
１０１    入力部
１０２、１０２Ａ    識別部
１０３    子供状態判定部
１０４    母親状態判定部
１０５、１０６、１１３    保持部
１０７、１０７Ａ    共有判定部
１０８    生成部
１０９、１０９Ａ    送信部
１１０    表示部
１１２    環境音判定部
１１５    位置取得部
Ｔ１、Ｔ２、Ｔ３、Ｔ４、Ｔ５    テーブル
【図１】
2019009666.tif 000003
【図２】
2019009666.tif 000004
【図３】
2019009666.tif 000005
【図４】
2019009666.tif 000006
【図５】
2019009666.tif 000007
【図６】
2019009666.tif 000008
【図７】
2019009666.tif 000009
【図８】
2019009666.tif 000010
【図９】
2019009666.tif 000011
【図１０】
2019009666.tif 000012
【図１１】
2019009666.tif 000013
【図１２】
2019009666.tif 000014
【図１３】
2019009666.tif 000015
【図１４】
2019009666.tif 000016